(57)【要約】【課題】動画応答性能の補償によって十分な動画応答性能が保たれているかを簡便に検査可能とする。【解決手段】表示装置の応答性能を検査するための検査制御装置であって、検査の基準となる第一の画像を生成する第一の画像生成手段と、少なくとも一部の画素の階調値が時間的に変化する検査パターンを有する第二の画像を生成する第二の画像生成手段と、前記第一の画像および第二の画像を含む表示画像を生成して、表示装置に出力する画像出力手段と、を備え、前記第一の画像の前記表示装置での表示輝度は、前記表示装置の応答性能が所定の性能である場合の前記表示装置での前記第二の画像の表示輝度以下である。前記所定の性能は、表示装置の応答性能を向上さえる機能により達成されるべき応答性能とすることができる。【選択図】図３
2017102302.tif 000002
【特許請求の範囲】
【請求項１】
表示装置の応答性能を検査するための検査制御装置であって、
検査の基準となる第一の画像を生成する第一の画像生成手段と、
少なくとも一部の画素の階調値が時間的に変化する検査パターンを有する第二の画像を生成する第二の画像生成手段と、
前記第一の画像および第二の画像を含む表示画像を生成して、表示装置に出力する画像出力手段と、
を備え、
前記第一の画像の前記表示装置での表示輝度は、前記表示装置の応答性能が所定の性能である場合の前記表示装置での前記第二の画像の表示輝度以下である、
検査制御装置。
【請求項２】
前記表示装置は、応答性能を向上させる機能を有し、
前記所定の性能は、前記機能により達成されるべき応答性能である、
請求項１に記載の検査制御装置。
【請求項３】
前記第一の画像の前記表示装置での表示輝度は、前記表示装置の応答性能が前記機能により達成されるべき応答性能である場合の前記表示装置での前記第二の画像の表示輝度と等しい、
請求項２に記載の検査制御装置。
【請求項４】
前記第一の画像の前記表示装置での表示輝度は、前記表示装置の応答性能が前記機能により達成されるべき応答性能である場合の前記第二の画像の前記表示装置での表示輝度以下であり、前記機能が無効な場合の前記第二の画像の前記表示装置での表示輝度以上である、
請求項２に記載の検査制御装置。
【請求項５】
前記表示画像を前記表示装置に出力している間に、ユーザーからの入力に応じて、または、定期的に、前記機能の有効と無効を切り替える制御コマンドを前記表示装置に送信する通信部をさらに備える、
請求項４に記載の検査制御装置。
【請求項６】
前記第二の画像は、各画素において、第一の階調値が第一のフレーム数だけ表示され、前記第一の階調値とは異なる第二の階調値が第二のフレーム数だけ表示されるサイクルが繰り返される画像である、
請求項１から５のいずれか１項に記載の検査制御装置。
【請求項７】
前記第一の階調値は最大階調値の２５％の値であり、
前記第二の階調値は最大階調値の７５％の値である、
請求項６に記載の検査制御装置。
【請求項８】
前記第一の画像は、全画素が所定の階調値を有する画像であり、
前記所定の階調値は、前記第一の階調値、前記第二の階調値、前記第一のフレーム数と前記第二のフレーム数の割合、および前記表示装置の輝度特性に基づいて決定される、
請求項６または７に記載の検査制御装置。
【請求項９】
前記第一の画像生成手段は、前記第一の画像の表示輝度が、前記第一の階調値を表示し続けた場合の表示輝度と前記第二の階調値を表示し続けた場合の表示輝度とを、前記第一のフレーム数と前記第二のフレーム数の割合に応じて平均した表示輝度、の８０％以上か
つ９０％以下となるように前記所定の階調値を決定して、前記第一の画像を生成する、
請求項８に記載の検査制御装置。
【請求項１０】
表示装置の応答性能を検査するための検査制御装置であって、
検査の基準となる検査基準値を決定する基準値決定手段と、
少なくとも一部の画素の階調値が時間的に変化する検査パターンを有する検査画像を生成する画像生成手段と、
前記検査画像を含む表示画像を前記表示装置に出力する画像出力手段と、
前記表示装置の表示輝度を所定の積分時間に基づいて測定する測定手段と、
前記測定手段により測定される表示輝度と、前記検査基準値とを比較して、検査の合否を判定する合否判定手段と、
を備え、
前記検査基準値は、前記表示装置の応答性能が所定の性能である場合の前記検査画像の前記表示装置での表示輝度以下である、
検査制御装置。
【請求項１１】
前記合否判定手段は、前記測定手段により測定される表示輝度と前記検査基準値との差が所定の許容範囲内であれば、合格と判定する、
請求項１０に記載の検査制御装置。
【請求項１２】
前記表示装置は、応答性能を向上させる機能を有し、
前記所定の性能は、前記機能により達成されるべき応答性能である、
請求項１０または１１に記載の検査制御装置。
【請求項１３】
前記基準値決定手段は、前記表示装置の応答性能が前記機能により達成されるべき応答性能である場合の前記検査画像の前記表示装置での表示輝度を、前記検査基準値として決定する、
請求項１２に記載の検査制御装置。
【請求項１４】
前記基準値決定手段は、前記表示装置の応答性能が前記機能により達成されるべき応答性能である場合の前記検査画像の前記表示装置での表示輝度以下であり、前記機能が無効な場合の前記検査画像の前記表示装置での表示輝度以上の値を、前記検査基準値として決定する、
請求項１２に記載の検査制御装置。
【請求項１５】
前記検査画像は、各画素において、第一の階調値が第一のフレーム数だけ表示され、前記第一の階調値とは異なる第二の階調値が第二のフレーム数だけ表示されるサイクルが繰り返される画像である、
請求項１０から１４のいずれか１項に記載の検査制御装置。
【請求項１６】
前記第一の階調値は最大階調値の２５％の値であり、
前記第二の階調値は最大階調値の７５％の値である、
請求項１５に記載の検査制御装置。
【請求項１７】
前記基準値決定手段は、前記第一の階調値、前記第二の階調値、前記第一のフレーム数と前記第二のフレーム数の割合、および前記表示装置の輝度特性に基づいて、前記検査基準値を決定する、
請求項１５または１６に記載の検査制御装置。
【請求項１８】
前記基準値決定手段は、前記第一の階調値を表示し続けた場合の表示輝度と、前記第二
の階調値を表示し続けた場合の表示輝度とを、前記第一のフレーム数と前記第二のフレーム数の割合に応じて平均した表示輝度、の８０％以上かつ９０％以下の値として、前記検査基準値を決定する、
請求項１７に記載の検査制御装置。
【請求項１９】
表示装置の応答性能を検査するための検査制御装置が行う検査制御方法であって、
検査の基準となる第一の画像を生成する第一の画像生成ステップと、
少なくとも一部の画素の階調値が時間的に変化する検査パターンを有する第二の画像を生成する第二の画像生成ステップと、
前記第一の画像および第二の画像を含む表示画像を生成して、表示装置に出力する画像出力ステップと、
を含む、
前記第一の画像の前記表示装置での表示輝度は、前記表示装置の応答性能が所定の性能である場合の前記第二の画像の前記表示装置での表示輝度以下である、
検査制御方法。
【請求項２０】
表示装置の応答性能を検査するための検査制御装置が行う検査制御方法であって、
検査の基準となる検査基準値を決定する基準値決定ステップと、
少なくとも一部の画素の階調値が時間的に変化する検査パターンを有する検査画像を生成する画像生成ステップと、
前記検査画像を含む表示画像を前記表示装置に出力する画像出力ステップと、
前記表示装置の表示輝度を所定の積分時間に基づいて測定する測定ステップと、
前記測定ステップにおいて測定される表示輝度と、前記検査基準値とを比較して、検査の合否を判定する合否判定ステップと、
を含み、
前記検査基準値は、前記表示装置の応答性能が所定の性能である場合の前記検査画像の前記表示装置での表示輝度以下である、
検査制御方法。
【請求項２１】
コンピュータを請求項１から１８のいずれか１項に記載の検査制御装置の各手段として機能させるためのプログラム。
【発明の詳細な説明】
【技術分野】
【０００１】
本発明は、表示装置の応答性能を検査する技術に関するものである。
【背景技術】
【０００２】
医療現場において、診断画像を画像記録フイルムに出力するのではなく、診断画像データを液晶画像表示装置等のモニターに出力して表示させる診断形態が増加している。
【０００３】
近年、マンモグラフィ画像により所見判定が困難な場合に、トモシンセシス画像を用いてカテゴリ判定精度を向上する読影形態が普及し始めている。トモシンセシス画像は、被写体に対して異なる角度から放射線を照射して撮影された放射線画像を再構成することで、撮影面に対し平行な所定スライス間隔の断層画像として生成される。トモシンセシス画像を読影する際には、複数枚の断層画像を動画のように切り換えながらモニターに表示する。よって、正確かつ効率的な読影のために、トモシンセシス画像の読影に用いるモニターには高い動画応答性能が要求される。モニターの動画応答性能を補償する従来技術として、例えばオーバードライブ技術があり、オーバードライブの機能を搭載した医療用モニターが今後普及していくことが見込まれる。
【０００４】
このような動画応答性能を補償するための機能を搭載した医療用モニターは、モニターの寿命まで、動画応答性能の補償の効果が保たれていることが求められる。よって、医療現場の技師や管理者により、簡便に動画応答性能の補償を検査できる手段があることが望ましい。動画応答性能の補償を検査する技術として、特許文献１に記載の方法がある。特許文献１は、モニターの表示領域内で補償のオン／オフを切り換え、ピクセル駆動レベルを所定の周期で高低させ、輝度の立ち上がり速度に起因するオン領域とオフ領域の明るさの違いを目視する方法を開示する。
【先行技術文献】
【特許文献】
【０００５】
【特許文献１】米国特許第８，７４３，１６２号明細書
【発明の概要】
【発明が解決しようとする課題】
【０００６】
しかしながら、特許文献１の手法は、動画応答性能の補償の効果がオフ時より良いことは判定できるが、十分な動画応答性能が保たれているかを判定できない。
【０００７】
そこで本発明は、表示装置の動画応答性能が十分に保たれているかを簡便に検査できる技術の提供を目的とする。
【課題を解決するための手段】
【０００８】
本発明の第一の態様は、表示装置の応答性能を検査するための検査制御装置であって、
検査の基準となる第一の画像を生成する第一の画像生成手段と、
少なくとも一部の画素の階調値が時間的に変化する検査パターンを有する第二の画像を生成する第二の画像生成手段と、
前記第一の画像および第二の画像を含む表示画像を生成して、表示装置に出力する画像出力手段と、
を備え、
前記第一の画像の前記表示装置での表示輝度は、前記表示装置の応答性能が所定の性能である場合の前記表示装置での前記第二の画像の表示輝度以下である、
ことを特徴とする検査制御装置である。
【０００９】
また、本発明の第二の態様は、表示装置の応答性能を検査するための検査制御装置であって、
検査の基準となる検査基準値を決定する基準値決定手段と、
少なくとも一部の画素の階調値が時間的に変化する検査パターンを有する検査画像を生成する画像生成手段と、
前記検査画像を含む表示画像を前記表示装置に出力する画像出力手段と、
前記表示装置の表示輝度を所定の積分時間に基づいて測定する測定手段と、
前記測定手段により測定される表示輝度と、前記検査基準値とを比較して、検査の合否を判定する合否判定手段と、
を備え、
前記検査基準値は、前記表示装置の応答性能が所定の性能である場合の前記検査画像の前記表示装置での表示輝度以下である、
ことを特徴とする検査制御装置である。
【００１０】
また、本発明の第三の態様は、表示装置の応答性能を検査するための検査制御装置が行う検査制御方法であって、
検査の基準となる第一の画像を生成する第一の画像生成ステップと、
少なくとも一部の画素の階調値が時間的に変化する検査パターンを有する第二の画像を生成する第二の画像生成ステップと、
前記第一の画像および第二の画像を含む表示画像を生成して、表示装置に出力する画像出力ステップと、
を含む、
前記第一の画像の前記表示装置での表示輝度は、前記表示装置の応答性能が所定の性能である場合の前記第二の画像の前記表示装置での表示輝度以下である、
ことを特徴とする検査制御方法である。
【００１１】
また、本発明の第四の態様は、表示装置の応答性能を検査するための検査制御装置が行う検査制御方法であって、
検査の基準となる検査基準値を決定する基準値決定ステップと、
少なくとも一部の画素の階調値が時間的に変化する検査パターンを有する検査画像を生成する画像生成ステップと、
前記検査画像を含む表示画像を前記表示装置に出力する画像出力ステップと、
前記表示装置の表示輝度を所定の積分時間に基づいて測定する測定ステップと、
前記測定ステップにおいて測定される表示輝度と、前記検査基準値とを比較して、検査の合否を判定する合否判定ステップと、
を含み、
前記検査基準値は、前記表示装置の応答性能が所定の性能である場合の前記検査画像の前記表示装置での表示輝度以下である、
ことを特徴とする検査制御方法である。
【発明の効果】
【００１２】
本発明によれば、表示装置の動画応答性能が十分に保たれているかを簡便に検査可能となる。
【図面の簡単な説明】
【００１３】
【図１】実施例１に係る検査制御装置の構成を示すブロック図である。
【図２】実施例１に係る検査処理を説明するためのフローチャートである。
【図３】実施例１に係る表示装置の輝度特性の一例を示したグラフである。
【図４】実施例１に係る第二の画像データの一例の説明図である。
【図５】実施例１に係る検査画像データの一例の説明図である。
【図６】実施例２に係る検査制御装置の構成を示すブロック図である。
【図７】実施例２に係る検査処理を説明するためのフローチャートである。
【図８】実施例２に係る表示装置の輝度特性の一例を示したグラフである。
【図９】実施例２に係る検査画像データ及びユーザー操作の一例の説明図である。
【図１０】実施例３に係る検査制御装置の構成を示すブロック図である。
【図１１】実施例３に係る検査処理を説明するためのフローチャートである。
【図１２】実施例３に係る結果画像データの一例の説明図である。
【発明を実施するための形態】
【００１４】
以下、本発明の好適な実施形態について、図面を参照して詳細に説明する。なお、以下の実施形態は例示に過ぎず、本発明が以下の実施形態に限定されるものではない。
【００１５】
（実施例１）
図１を参照して、実施例１に係る検査制御装置について説明する。図１は、本実施例にかかる検査制御装置１００および検査対象の表示装置２００を示す図である。検査制御装置１００は、表示装置２００に検査用の画像を出力して表示させることで、表示装置２００の動画応答性能が十分であるかどうかをユーザーが判断できるようにする。
【００１６】
検査制御装置１００は、検査を行うための画像データを表示装置２００に供給するための装置である。実施例１では、検査制御装置１００の一例として、パーソナルコンピュータ（以下、「ＰＣ」という）を用いる。なお、検査制御装置１００はＰＣに限られない。例えば、検査制御装置１００は、診断装置や画像生成装置等であってもよく、また、表示装置２００内に組み込まれたものであってもよい。
【００１７】
表示装置２００は、画像データを表示するための装置である。実施例１では、表示装置２００の一例として、液晶モニターを用いる。なお、表示装置２００は液晶モニターに限らない。例えば、テレビジョン受像機や有機ＥＬ（Electroluminescence）モニター等で
あってもよい。
【００１８】
以下、検査制御装置１００を「ＰＣ１００」、表示装置２００を「モニター２００」と呼ぶ。
【００１９】
＜ＰＣ１００＞
次に、図１を参照して、ＰＣ１００の構成の一例を説明する。ＰＣ１００は、図１に示すように、ＣＰＵ１０１、画像出力部１０２、第一の画像生成部１０３、第二の画像生成部１０４、基準値決定部１０５、記憶部１０６、操作入力部１０７を有する。これらは、コントロールバスやデータバス等の内部バス１０８を介して互いに情報等の授受が可能なように接続されている。
【００２０】
ＣＰＵ（Central Processing Unit）１０１は、記憶部１０６に格納されているコンピ
ュータプログラムに従ってＰＣ１００全体の動作を制御する。画像出力部１０２は、ＣＰＵ１０１の指示に基づいて表示画像データを生成し、映像インタフェース等を通じてモニター２００に供給する。
【００２１】
第一の画像生成部１０３は、検査の基準とするための画像である第一の画像データを生成する処理を行う演算装置である。第二の画像生成部１０４は、各画素の階調値が時間的に変化する検査パターンを有する第二の画像データを生成する処理を行う演算装置である。基準値決定部１０５は、第一の画像生成部１０３による第一の画像データ生成のために
必要な、検査の基準値を決定する処理を行う演算装置である。第一の画像データ、第二の画像データ、および検査基準値の詳細については、検査処理の説明の際に詳しく説明する。
【００２２】
記憶部１０６は、ハードディスク等の不揮発性メモリを有する。また、記憶部１０６は、ＣＰＵ１０１のワークエリアとして機能する揮発性メモリを有する。記憶部１０６の不揮発性メモリには、ＰＣ１００全体の動作を制御するコンピュータプログラムや、後述するモニター２００の表示特性を示す情報が格納されている。操作入力部１０７は、マウスやキーボード等の入力装置を介して行われたユーザー操作を認識し、ＣＰＵ１０１に供給する。
【００２３】
＜モニター２００＞
次に、図１を参照して、モニター２００の構成の一例を説明する。モニター２００は、少なくとも、画像入力部２０１、表示処理部２０３、表示部２０５を有する。
【００２４】
画像入力部２０１は、ＰＣ１００より映像インタフェース等を通じて供給される画像データを表示処理部２０３に供給する。
【００２５】
表示処理部２０３は、画像入力部２０１より供給される画像データを表示部２０５で表示可能となるよう、画像データの形式を変換する処理を行う演算装置である。また、表示処理部２０３は、表示部２０５の動画応答性能を向上させるための処理も行う。実施例１では、表示部２０５の動画応答性能を向上させるための処理の一例として、オーバードライブを用いる。オーバードライブは、表示回路に画像データに応じた駆動信号よりも高い（または低い）駆動信号（電圧や電流）を一時的に掛けて表示素子（本実施例では液晶素子）の応答速度を向上させる技術である。液晶素子の応答速度は、液晶素子に駆動信号が印加されてから所望の透過率が得られるまでの時間である。オーバードライブは公知技術であるため詳細な説明を省略する。
【００２６】
表示部２０５は、液晶表示パネル等の表示パネルと、表示パネルに対して照射する光を発する例えばＬＥＤ（Light Emitting Diode）等の光源により構成される。表示部２０５は、表示処理部２０３から供給される画像データに基づく画像を表示することができる。
【００２７】
なお、実施例１に係るモニター２００は、モニター２００の電源がオンである場合、常にオーバードライブがオン（有効）の状態で動作するものとして、以下の説明を行う。
【００２８】
＜検査処理＞
次に、図２を参照して、実施例１に係るＰＣ１００で行われる検査処理について説明する。図２は、実施例１に係るＰＣ１００で行われる検査処理の一例を説明するためのフローチャートである。ただし、以下の実施例はあくまでも一例であって、本発明は以下の実施例に限定されるものではない。
【００２９】
検査処理は、ＰＣ１００が検査画像を生成してモニター２００に表示することで、ユーザーがモニター２００の動画応答性能の補償が十分かどうかを判断できるようにする処理である。検査処理は、ＰＣ１００が電源オンの場合に、ＣＰＵ１０１が記憶部１０６に格納されているコンピュータプログラムを実行することによって制御される。検査処理は、ＰＣ１００における操作入力部１０７を介してユーザーが開始操作を行った場合に開始するものとして説明する。
【００３０】
Ｓ１０１において、ＣＰＵ１０１は、基準値決定部１０５に対して、検査基準値を決定するよう指示する。検査基準値は、第一の画像生成部１０３により、第一の画像データを
生成するために用いられる。ここで、図３を参照して、検査の基準値について説明する。
【００３１】
図３は、モニター２００の輝度特性の一例を示したグラフである。グラフの横軸はデジタル駆動レベル（DDL：Digital Driving Level）を表し、縦軸は輝度値を表す。このように、デジタル駆動レベルDDLと輝度は、輝度特性に応じて１対１に対応する。なお、実施
例１におけるDDLは、８ビットの分解能で定義され、最小値は０、最大値は２５５である
ものとして説明する。また、モニター２００の輝度特性は、ＰＣ１００の記憶部１０６に格納されているものとする。
【００３２】
図３において、DDLlowは、モニター２００に第二の画像データを構成する低階調画素Pixellowを表示する場合のDDLを示す。また、DDLhighは、モニター２００に第二の画像データを構成する高階調画素Pixelhighを表示する場合のDDLを示す。低階調画素Pixellowおよび高階調画素Pixelhighの階調値は適宜決定すればよいが、例えば、低階調画素の階調値
を最大階調値の２５％の値とし、高階調画素の階調値を最大階調値の７５％の値とすることができる。DDLが8ビットの場合はDDLlowを63、DDLhighを191とすると良い。
【００３３】
図３において、Llowは、モニター２００をDDLlowで駆動し続けた場合の輝度を示し、Lhighは、モニター２００をDDLhighで駆動し続けた場合の輝度を示す。
【００３４】
図３において、Lidealは、モニター２００が理想的な動画応答性能を有する場合の、モニター２００に第二の画像データを表示した際の輝度の時間積分値を示す。ここで、理想的な動画応答性能の具体的な定義は、表示の更新周期（フレーム）間でDDLの変化が生じ
た場合に、輝度の変化が１フレーム期間内で追従することであるとする。このような場合、輝度の時間積分値は、第二の画像データを構成するPixellowとPixelhighの割合に基づ
く輝度の平均値と等しくなる。実施例１において、第二の画像データを構成するPixellowとPixelhighの割合は「２：１」であるため、Lidealは下記の式(1)で算出される。
Lideal= ( DDLlow + DDLlow + DDLhigh ) / 3      …(1)
【００３５】
図３におけるLreferは、モニター２００におけるオーバードライブの強度を加味した場合の、モニター２００に第二の画像データを表示した際の輝度の時間積分値を示す。理論的には、オーバードライブの強度を高くする程、動画応答性能が理想値に近づくが、強度を上げすぎると表示のオーバーシュートやアンダーシュートが目立ってしまう。そのため、一般的には、オーバードライブの強度は、動画応答性能がある程度まで理想値に近づき、かつオーバーシュートやアンダーシュートが目立たないような強度に調整される。
【００３６】
本実施例におけるモニター２００についても、このようなオーバードライブの強度調整がなされているものとして説明する。具体的には、モニター２００のオーバードライブの強度は、フレーム間でDDLの変化が生じた場合に、１フレーム期間内で９０％の輝度まで
追従するよう調整されているものとして説明する。すなわち、１フレーム期間内で９０％の輝度まで追従するという動画応答性能が、オーバードライブ機能が有効な場合に達成されるべき応答性能である。なお、この数値（９０％）は、ＰＣ１００の記憶部１０６に格納されているものとする。この場合、Lreferは下記の式(2)で算出される。
Lrefer = Lideal × 0.9            …(2)
【００３７】
図３におけるDDLreferは、モニター２００に第一の画像データを表示する場合のDDLを
示し、モニター２００の輝度特性とLreferに基づいて、Lreferに対応するDDLとして算出
される。本実施例では、DDLreferを検査の基準値として用いる。すなわち、ステップＳ１０１において、基準値決定部１０５は、上記の式(1)および(2)により定義されるLreferに対応するDDLreferを検査基準値として決定する。なお、ここで算出するDDLreferの値が、８ビット分解能で表現不能となる場合、算出結果として小数点以下の値が発生する。この場合は、算出結果に最も近い整数をDDLreferとすることが望ましい。
【００３８】
基準値決定部１０５が検査の基準値を算出した後、検査の基準値をＣＰＵ１０１に通知して、処理はＳ１０１からＳ１０２に進む。
【００３９】
Ｓ１０２において、ＣＰＵ１０１は、第一の画像生成部１０３に対して検査の基準値Lreferを通知し、第一の画像データを生成するよう指示する。なお、本実施例における第一の画像データは、単一の階調値を有するベタ画像、すなわち全画素が単一の階調値で表示され続ける画像である。この階調値は、モニター２００に表示する際のDDLが、DDLrefer
となる階調値である。第一の画像生成部１０３が第一の画像データを生成した後、第一の画像データをＣＰＵ１０１に通知して、処理はＳ１０２からＳ１０３に進む。
【００４０】
Ｓ１０３において、ＣＰＵ１０１は、第二の画像生成部１０４に対して、第二の画像データを生成するよう指示する。ここで、図４を参照して、本実施例における第二の画像データについて説明する。
【００４１】
図４（Ａ）〜４（Ｃ）は、第二の画像生成部１０４が生成する第二の画像データの一例を説明するための図であり、連続する３フレームにおける第二の画像データを示す。図４（Ａ）〜４（Ｃ）の斜線で示す矩形は画像のピクセルを示しており、第二の画像データは、低階調を示すピクセルPixellow（符号４１）と、高階調を示すピクセルPixelhigh（符
号４２）により構成される。低階調ピクセルPixellowはDDLlowに対応する階調値を有し、高階調ピクセルPixelhighはDDLhighに対応する階調値を有する。
【００４２】
また、第二の画像データは、１フレーム毎に異なる画像に更新され、かつ更新内容は３フレーム周期で繰り返される。第二の画像データは、３フレームが１サイクルの画像であり、それぞれのサイクルでは、各ピクセルが、低階調値DDLlowで２フレーム表示され、高階調値DDLhighで１フレーム表示される。また、第二の画像データは、各フレームにおい
て、全ピクセルのうちの２／３のピクセルが低階調値を有し、１／３のピクセルが高階調値を有する。このような第二の画像データをモニター２００に表示することで、モニター２００の表示部２０５におけるピクセル単位では、フレーム毎にDDLhigh、DDLlow、DDLlowを繰り返すように表示される。よって、モニター２００に表示される第二の画像データ
の全体的な見えとしては、１フレーム期間内の輝度の立ち上がり速度が十分高ければより明るくなり、不十分であればより暗くなる。
【００４３】
第二の画像生成部１０４が第二の画像データを生成した後、第二の画像データをＣＰＵ１０１に通知して、処理はＳ１０３からＳ１０４に進む。
【００４４】
Ｓ１０４において、ＣＰＵ１０１は、画像出力部１０２に対して、第一の画像データ及び第二の画像データを通知し、検査画像データを生成してモニター２００へ出力するよう指示する。ここで、図５を参照して、本実施例における検査画像データについて説明する。
【００４５】
図５は、本実施例における検査画像データをモニター２００に表示した状態を表した図である。図５の表示部２０５の左領域３０１には第一の画像データ、右領域３０２には第二の画像データが表示される。図５に示すように、本実施例における検査画像データは、第一の画像データと第二の画像データをモニター２００の半面ずつに表示される解像度と
なるよう合成して生成される。
【００４６】
このような検査画像データを生成してモニター２００に表示した場合、モニター２００の動画応答性能が、１フレーム期間内で９０％の輝度まで追従するものであれば、図５の左領域３０１（第一の画像）と右領域３０２（第二の画像）の明るさは同等となる。動画応答性能が不十分であれば、右領域３０２（第二の画像）が左領域３０１（第一の画像）よりも暗くなる。よって、ユーザーは、モニター２００の表示部２０５の左右の明るさを比較することで、モニター２００の動画応答性能を検査することができる。
【００４７】
なお、ここでの検査画像データは、第一の画像データが左領域に表示され、第二の画像データが右領域に表示される例を説明したが、表示位置は逆であっても良い。また、配置について限定するものではなく、第一の画像データ及び第二の画像データを例えば上下に配置しても良い。また、モニター２００の表示部２０５全体に検査画像データを表示するのではなく、表示部２０５の一部の領域のみに検査画像データを表示しても良い。また、検査画像データ内の第一の画像データと第二の画像データの大きさは、同一でなくても良い。
【００４８】
画像出力部１０２が検査画像データをモニター２００に出力した後、処理はＳ１０４からＳ１０５に進む。
【００４９】
Ｓ１０５において、ＣＰＵ１０１は、操作入力部１０７を介してユーザーが終了操作を行ったか否かを判定する。ユーザーが終了操作を行ったと判定した場合（Ｓ１０５−ＹＥＳ）、ＣＰＵ１０１は、画像出力部１０２に対し、モニター２００への検査画像データの出力を停止するよう指示して、検査処理を終了する。ユーザーが終了操作を行っていないと判定した場合（Ｓ１０５−ＮＯ）、処理はＳ１０５からＳ１０３に進む。
【００５０】
なお、第二の画像データをフレーム毎に更新するため、Ｓ１０３からＳ１０５の処理を１フレーム期間内に行い、かつＳ１０４におけるモニター２００への検査画像データの出力も、フレーム周期に基づいて実施するものとする。
【００５１】
以上説明したとおり、実施例１では、検査の基準となる第一の画像データと、モニター２００の動画応答性能を検査するための第二の画像データから、検査画像データを生成してＰＣ１００からモニター２００へ出力できる。その結果、モニター２００の動画応答性能が十分かどうかを、ユーザーが目視で簡便に検査できる。具体的には、動画応答性の補償が所望の効果を上げているか、すなわち本実施例では、オーバードライブによって１フレーム期間内に９０％の輝度まで追従しているかを、ユーザーが簡便に検査できる。
【００５２】
＜変形＞
実施例１では、モニター２００の輝度特性がＰＣ１００の記憶部１０６に格納されているが、本発明はこれに限られない。例えば、ＰＣ１００が、ユーザーからの入力によって輝度特性を取得しても良いし、モニター２００から通信手段を介して輝度特性を取得しても良い。
【００５３】
また、実施例１では、説明の簡略化のため、モニター２００の輝度特性が一つのみとしているが、本発明はこれに限られない。例えば、モニター２００が複数の表示モードを備え、表示モードごとに異なる輝度特性を適用できる構成であっても良い。この場合は、ＰＣ１００は表示モードごとの輝度特性を格納し、検査を行う際の表示モードに対応する輝度特性を用いてＳ１０１の処理を行う。また、ＰＣ１００は予め格納している輝度特性をそのまま利用する必要もなく、格納した輝度特性を補正して利用しても良い。例えば、ＰＣ１００は、モニター２００の内部温度に応じて輝度特性を補正しても良く、この場合は
、補正後の輝度特性を用いてＳ１０１の処理を行う。
【００５４】
また、実施例１では、モニター２００のデジタル駆動レベルDDLの分解能が８ビットで
ある例を説明したが、これに限られず、例えば、１０ビット等であっても良い。なお、DDLの分解能が高い程、DDLreferの精度が高くなることは、詳細に説明せずとも理解されよ
う。
【００５５】
また、実施例１では、第二の画像データを構成する低階調ピクセルPixellowと高階調ピクセルPixelhighがそれぞれ、２フレームおよび１フレームずつ表示される例を説明した
が、表示フレーム数はこれに限られない。例えば、表示の割合を保ちつつ表示フレーム数を増やしても良い。また、表示の割合を「１：１」、「１：２」、「３：１」等としても良い。なお、第二の画像データにおける低階調ピクセルと高階調ピクセルの表示フレーム数の割合に応じて、検査基準値の算出式(1)を決定する必要があることは明らかであろう
。
【００５６】
また、第二の画像データのPixellowとPixelhighの配置は、図４（Ａ）〜４（Ｃ）に示
すような、高階調ピクセルPixelhighが斜め方向に並ぶよう配置する例に限定されない。
例えば、高階調ピクセルPixelhighが横縞状に配置されても良いし、縦縞状に配置されて
も良い。また、１フレーム内で低階調ピクセルと高階調ピクセルの割合が所定割合（例えば、２：１）でなくても良く、時間平均したときに低階調ピクセルと高階調ピクセルが所定割合となるようにすれば良い。例えば、フレーム１を高階調値で塗りつぶし、フレーム２及びフレーム３を低階調値で塗りつぶすように第二の画像データを生成しても良い。また、第二の画像データの更新周期は、１フレーム単位とする必要はなく、例えば２フレーム単位、３フレーム単位等で第二の画像データを更新しても良い。
【００５７】
また、第二の画像において全てのピクセルの階調値を、上記所定割合で低階調値と高階調値の間で変化させなくてもよい。第二の画像は、少なくとも一部のピクセルの階調値が時間的に変化し、したがって、動画応答性能に応じて表示輝度（積分値）が変化するような画像であればよい。例えば、第二の画像は、低階調値と高階調値での表示割合が異なる複数のピクセルグループを有しても良い。また、第二の画像は、一部のピクセルが常に一定の階調値、例えば、DDLlowやDDLhigh、あるいはその他の階調値（例えばDDLrefer）で
表示されるようにしても良い。また、第二の画像は、２つの階調値の間で切り替えるのではなく、３つ以上の階調値の間で切り替わるものであっても良い。第二の画像の構成をこのように変形する場合には、検査基準値の決定方法を、第二の画像の構成に応じて適宜変えればよい。具体的には、検査基準値は、モニター２００が所望の動画応答性能を有する場合の第二の画像の表示輝度の理論値に対応する階調値として決定されればよい。
【００５８】
また、上記の説明では、第二の画像のパターンが予め定められており、第二の画像に応じて検査基準値（および第一の画像）が決定されている。これは逆にしても良い。例えば、検査基準値DDLrefer（またはLrefer）を所与とし、所望の動画応答性能を有するモニターで表示した際の表示輝度（積分値）がLreferとなるように、DDLlowとDDLhighの値や、
これらの表示割合を決定してもよい。
【００５９】
また、実施例１では、検査画像データは、第一の画像データと第二の画像データを並べた１つの画像データとして表現されているが、これに限られない。検査画像データは、例えば、第一の画像データと第二の画像データを時系列で切り換えるような表現方法で表現されても良い。
【００６０】
また、実施例１では、第一の画像の輝度Lreferを、オーバードライブ機能が設計通り働いて１フレーム期間内で９０％の輝度まで追従するような動画応答性能が得られる場合の
第２の画像の表示輝度（0.9×Lideal）となるようにしている。したがって、表示装置の
動画応答性能が１フレーム期間内で９０％の輝度まで追従する場合に、検査が合格と判断される。換言すれば、オーバードライブによって達成されるべき動画応答性能が、合否判定の基準となる応答性能として用いられている。しかしながら、より低い動画応答性能を合否判定の基準となる応答性能として用いても良い。１フレーム期間内で９０％の輝度まで追従する動画応答性能が得られるようにオーバードライブ機能が設計されている場合であっても、例えば８５％まで追従する動画応答性能が得られる場合に検査に合格するようにしても良い。この場合、第一の画像の輝度Lreferが0.85×Lidealとなるように検査基準値を決定して第一の画像を生成すればよい。このように、第一の画像の表示輝度Lreferは、モニター２００の応答性能がオーバードライブ機能により達成されるべき応答性能の場合の第二の画像の表示輝度以下としても構わない。ただし、Lreferの値は、オーバードライブ機能をオフにした場合の第二の画像の表示輝度以上にする必要がある。
【００６１】
（実施例２）
実施例２に係る検査制御装置は、表示装置の動画応答性能が十分であるかどうかに加えて、オーバードライブ処理によって動画応答性能が向上しているかもユーザーが判断できるようにする。
【００６２】
図６を参照して、実施例２に係る検査制御装置について説明する。図６は、本実施例にかかる検査制御装置４００および検査対象の表示装置５００を示す図である。本実施例においても検査制御装置４００としてＰＣ用いる例を説明する。また、以下、検査制御装置４００を「ＰＣ４００」、表示装置５００を「モニター５００」と呼ぶ。
【００６３】
＜ＰＣ４００＞
ＰＣ４００の構成は基本的に実施例１と同様であり、ＣＰＵ４０１、画像出力部４０２、第一の画像生成部４０３、第二の画像生成部４０４、基準値決定部４０５、記憶部４０６、操作入力部４０７を有する。これらの構成は実施例１と同様であるため、繰り返しの説明は省略する。
【００６４】
ＰＣ４００は、さらに、モニター５００とデータ通信を行うための通信部４０９を備える。通信部４０９は、通信インタフェースを介した通信を制御する。通信部４０９は、ＣＰＵ４０１から供給される制御コマンドをモニター５００に送信する。なお、実施例２におけるモニター５００との通信は、通信インタフェースのプロトコルに準拠した通信コマンド等を用いて行う。
【００６５】
＜モニター５００＞
モニター５００の構成も基本的に実施例１と同様であり、画像入力部５０１、表示処理部５０３、表示部５０５を有する。本実施例に係るモニター５００は、通信部５０２を有する点と、表示処理部５０３がモード制御部５０４を有する点で実施例１と異なる。
【００６６】
通信部５０２は、通信インタフェースを介してＰＣ４００との通信を行う。通信部５０２がＰＣ４００から受信する制御コマンドは、表示処理部５０３内のモード制御部５０４に供給される。なお、実施例２におけるＰＣ４００との通信は、通信インタフェースのプロトコルに準拠した通信コマンド等を用いて行う。
【００６７】
モード制御部５０４は、表示処理部５０３によるオーバードライブのモードを制御する演算装置である。実施例２におけるオーバードライブのモードは、「オン（有効）」と「オフ（無効）」の２つのモードを有する。
【００６８】
＜検査処理＞
次に、図７を参照して、実施例２に係るＰＣ４００で行われる検査処理について説明する。なお、実施例１に係る検査処理と同様の部分については説明を省略して、主に実施例１との相違点について説明する。
【００６９】
図７は、本実施例に係るＰＣ４００で行われる検査処理の一例を説明するためのフローチャートである。ただし、以下の実施例はあくまでも一例であって、本発明は以下の実施例に限定されるものではない。
【００７０】
Ｓ２０１において、ＣＰＵ４０１は、基準値決定部４０５に対して、第一の画像生成部４０３による第一の画像データ生成のために必要となる、検査の基準値を決定するよう指示する。ここで、図８を参照して、本実施例における検査の基準値について説明する。
【００７１】
図８は、図３と同様に、モニター５００の輝度特性の一例を示したグラフである。図８における、DDLlow, DDLhigh, Llow, Lhigh, Lidealは実施例１と同様であるため説明を省略する。
【００７２】
図８におけるLON-referは、モニター５００のオーバードライブのモードがオンであり
、かつモニター５００におけるオーバードライブの強度を加味した場合の、モニター５００に第二の画像データを表示した際の輝度の時間積分値を示す。本実施例においても、オーバードライブの強度は、動画応答性能がある程度まで理想値に近づき、かつオーバーシュートやアンダーシュートが目立たないような強度に調整されているものとする。具体的には、モニター５００のオーバードライブの強度は、フレーム間でDDLの変化が生じた場
合に、１フレーム期間内で９０％の輝度まで追従するよう調整されているものとして説明する。なお、この数値（９０％）は、ＰＣ４００の記憶部４０６に格納されているものとする。この場合、LON-referは下記の式(3)で算出される。
LON-refer = Lideal × 0.9            …(3)
【００７３】
図８のLOFF-referは、モニター５００のオーバードライブのモードがオフである場合に、モニター５００に第二の画像データを表示した際の輝度の時間積分値を示す。実施例２におけるモニター５００のオーバードライブのモードがオフの場合は、フレーム間でDDL
の変化が生じた場合に、１フレーム期間内で８０％の輝度まで追従するものとして説明する。なお、この数値（８０％）は、ＰＣ４００の記憶部４０６に格納されているものとする。この場合、LOFF-referは下記の式(4)で算出される。
LOFF-refer = Lideal × 0.8          …(4)
【００７４】
図８におけるDDLON-referおよびDDLOFF-referは、モニター５００の表示輝度がそれぞ
れLON-referおよびLOFF-referとなるDDLであり、モニター５００の輝度特性とLON-refer
に基づいて算出される。
【００７５】
図８におけるDDLreferは、モニター５００に第一の画像データを表示する場合のDDLを
示し、下記の条件式(5)を満たす範囲内の値である。
DDLOFF-refer ≦ DDLrefer ≦ DDLON-refer          …(5)
【００７６】
本実施例では、具体的なDDLreferの値として、下記の式(6)に示すようにDDLOFF-refer
とDDLON-referの平均値（単純平均）を用いるものとする。
DDLrefer = (DDLOFF-refer+ DDLON-refer ) / 2          …(6)
本実施例２では、式(6)で定義されるDDLreferを検査の基準値として用いる。すなわち
、基準値決定部４０５は、式(1), (3), (4), (6)に基づいて、DDLreferを決定する。
【００７７】
Ｓ２０２の第一の画像の生成処理は実施例１と同様である。すなわち、第一の画像データは、モニター２００に表示する際のDDLがDDLreferとなる単一の階調値を有するベタ画
像として生成される。
【００７８】
Ｓ２０３の第二の画像の生成処理も実施例１と同様である。すなわち、第二の画像データは、DDLlowおよびDDLhighが２：１の割合で表示される画像（図４（Ａ）〜４（Ｃ））
として生成される。
【００７９】
Ｓ２０４において、ＣＰＵ４０１は、画像出力部４０２に対して、第一の画像データ及び第二の画像データを通知し、検査画像データを生成してモニター５００へ出力するよう指示する。ここで、図９を参照して、本実施例における検査画像データについて説明する。
【００８０】
図９は、本実施例における検査画像データをモニター５００に表示した状態を表した図である。図９の表示部の左領域６０１には第一の画像データ、右領域６０２には第二の画像データが表示される。図９に示すように、本実施例における検査画像データは、第一の画像データと第二の画像データをモニター５００の半面ずつに表示される解像度となるよう合成して生成される。
【００８１】
このような検査画像データを生成してモニター５００に表示した場合、左領域６０１および右領域６０２の明るさの関係は次のようになる。オーバードライブのモードがオンであり、かつ１フレーム期間内で９０％の輝度まで追従する動画応答性能をモニター５００が有してしていれば、右領域６０２の明るさが左領域６０１の明るさ以上となる（６０１≦６０２）。また、オーバードライブのモードがオフであり、かつ１フレーム期間内で８０％の輝度まで追従する動画応答性能をモニター５００が有していれば、左領域６０１の明るさが右領域６０２の明るさ以上となる（６０１≧６０２）。
【００８２】
なお、ＰＣ４００は、検査画像データをモニター５００に表示する際に、オーバードライブのモードを切り替えるための操作ダイアログ６０３をあわせて表示させる。ボタン６０４は、モニター５００のオーバードライブのモードを切換えるためのボタンである。本実施例において、モニター５００のオーバードライブのモード切換を行うための操作は、ユーザーが操作入力部４０７によりボタン６０４を押下することで行う。ボタン６０５は、検査処理を終了するためのボタンである。本実施例において、検査処理を終了するための操作は、ユーザーが操作入力部４０７によりボタン６０５を押下することで行う。また、検査画像データをモニター５００に表示している間は、現在のオーバードライブのモードが分かるように、操作ダイアログ６０３内もしくは表示部のその他の場所に、現在のモードを表示することが好ましい。
【００８３】
Ｓ２０５において、ＣＰＵ４０１は、操作入力部４０７を介してユーザーがモニター５００のオーバードライブのモード切換操作を行ったか否かを判定する。ユーザーがボタン６０４を押下したと判定した場合（Ｓ２０５−ＹＥＳ）、処理はＳ２０５からＳ２０６に進む。ユーザーがボタン６０４を押下していないと判定した場合（Ｓ２０５−ＮＯ）、処理はＳ２０５からＳ２０７に進む。
【００８４】
Ｓ２０６において、ＣＰＵ４０１は、モニター５００のオーバードライブのモードを切換えるための制御コマンドを生成し、通信部４０９に供給する。通信部４０９は、ＣＰＵ４０１より供給された制御コマンドを通信インタフェースを介してモニター５００に送信する。モニター５００は、ＰＣ４００より受信した制御コマンドを、通信部５０２を介して表示処理部５０３内のモード制御部５０４に供給する。モード制御部５０４は、制御コマンドが供給された場合、オーバードライブのモードを切り替える。具体的には、モード制御部５０４は、現在のモードがオンの場合はオフに、現在のモードがオフの場合はオンにする。ＣＰＵ４０１がモニター５００に制御コマンドを送信後、処理はＳ２０６からＳ２０７に進む。
【００８５】
Ｓ２０７において、ＣＰＵ４０１は、操作入力部４０７を介してユーザーが終了操作を行ったか否かを判定する。ユーザーがボタン６０５を押下したと判定した場合（Ｓ２０７−ＹＥＳ）、ＣＰＵ４０１は、画像出力部４０２に対し、モニター５００への検査画像データの出力を停止するよう指示して、検査処理を終了する。ユーザーがボタン６０５を押下していないと判定した場合（Ｓ２０７−ＮＯ）、処理はＳ２０７からＳ２０３に進む。
【００８６】
なお、第二の画像データをフレーム毎に更新するため、Ｓ２０３からＳ２０７の処理を１フレーム期間内に行い、かつＳ２０４におけるモニター５００への検査画像データの出力も、フレーム周期に基づいて実施するものとする。
【００８７】
本実施例によれば、ユーザーは、モニター５００のオーバードライブのモードを切換えながら、表示部５０５の左右の明るさを比較することで、モニター５００の動画応答性能を検査することができる。つまり、ユーザーは、オーバードライブのモード切換操作に従って表示部５０５の左右の明暗が逆転するのを確認することで、モニター５００の動画応答性能が適切である（合格である）と認識することができる。したがって、本実施例によれば、モニター５００の動画応答性能が十分かどうか、かつオーバードライブにより動画応答性能が改善されているかどうかを、ユーザーが目視で簡便に検査することが可能となる。
【００８８】
＜変形＞
本実施例においても、実施例１で説明したような種々の変形を採用することが可能である。また、本実施例では、DDLreferの値を、DDLOFF-referとDDLON-referの平均値とした
が、これに限られない。例えば、LOFF-referとLON-referの平均値をLreferとして算出し
、モニター５００の表示輝度がLreferとなるDDLをDDLreferとして用いても良い。また、DDLreferの値を、DDLOFF-refer以上DDLON-refer以下の範囲内で、ユーザーが任意で変更できるようにしても良い。例えば、オーバードライブ機能が有効なときに１フレーム期間で９０％の輝度まで追従する動画応答性能を有し、オーバードライブ機能が無効なときに１フレーム期間内で８０％の輝度まで追従する動画応答性能を有する一般的な表示装置を仮定する。この場合は、LON-referおよびLOFF-referはそれぞれ理想的な動画応答性能にお
ける第二の画像の表示輝度Lidealの９０％および８０％である。そこで、DDLreferの値として、Lidealの８０％以上かつ９０％以下の表示輝度が得られるDDLを採用すればよい。
【００８９】
また、本実施例では、モニター５００のオーバードライブのモード切換を、操作ダイアログ６０３へのユーザー操作に応じてＰＣ４００からモニター５００に対し制御コマンドを送信することで行っているが、モードの切り替え方法はこれに限られない。例えば、モニター５００に操作入力部を備え、モニター５００の操作入力部をユーザーが操作することで、モニター５００のオーバードライブのモード切換を行っても良い。また、ＰＣ４００が、オーバードライブのモードのオンオフを切換える制御コマンドを定期的にモニター５００に送信することで、オーバードライブのモードを切り替えても良い。
【００９０】
また、本実施例では、操作ダイアログ６０３のボタン６０４を押下することでオーバードライブのモード切換を行っているが、これに限られない。例えば、操作ダイアログが、オーバードライブのオンとオフに対応したラジオボタンを有し、ユーザーがいずれかを選択することによってモードを切り替えても良い。
【００９１】
＜実施例３＞
実施例１，２ではユーザーの目視によって表示装置の動画応答性能を確認しているが、実施例３では、測定装置を設けて動画応答性能を自動的に確認する。
【００９２】
図１０を参照して、実施例３に係る検査制御装置について説明する。図１０は、本実施例にかかる検査装置７００、表示装置８００、および測定装置９００を示す図である。本実施例においても検査制御装置７００としてＰＣ用いる例を説明する。また、以下、検査制御装置７００を「ＰＣ７００」、表示装置８００を「モニター８００」と呼ぶ。
【００９３】
＜ＰＣ７００＞
ＰＣ７００が備えるＣＰＵ７０１、画像出力部７０２、基準値決定部７０５、記憶部７０６、操作入力部７０７は実施例１と同様であるため、繰り返しの説明は省略する。検査画像生成部７０３は、動画応答性能の検査を行うためのパターンである検査画像データを生成する処理を行う演算装置である。
【００９４】
測定制御部７０４は、測定装置９００とデータ通信を行い、測定装置９００を制御する。測定制御部７０４は、通信インタフェースを介した通信を制御し、ＣＰＵ７０１から供給される制御コマンドを測定装置９００に送信する。測定制御部７０４は、測定装置９００より受信する測定データをＣＰＵ７０１に供給する。なお、実施例３における測定装置９００との通信は、通信インタフェースのプロトコルに準拠した通信コマンド等を用いて行う。
【００９５】
＜モニター８００＞
モニター８００の構成は実施例１と同様であるため、説明を省略する。
【００９６】
＜測定装置９００＞
測定装置９００はモニター８００の輝度を測定する装置である。測定装置９００は、少なくとも、通信部９０１、測定部９０２、センサー部９０３を有する。
【００９７】
通信部９０１は、通信インタフェースを介してＰＣ７００との通信を行う。ＰＣ７００から通信部９０１が受信する制御コマンドは、測定部９０２に供給される。測定部９０２から通信部９０１に供給される測定値は、通信インタフェースを介してＰＣ７００に供給される。なお、本実施例におけるＰＣ７００との通信は、通信インタフェースのプロトコルに準拠した通信コマンド等を用いて行う。
【００９８】
測定部９０２は、通信部９０１より制御コマンドが供給されると、所定の積分時間に基づいて、モニター８００の積分輝度をセンサー部９０３を用いて測定する。測定部９０２は得られた測定値を通信部９０１に供給する。
【００９９】
センサー部９０３は、レンズ、フィルター、CCD（Charge Coupled Device）等により構成される。センサー部９０３は、少なくとも輝度を測定することができる。なお、センサー部９０３に、輝度だけでなく例えば色等も測定可能なデバイスを用いても良い。
【０１００】
なお、本実施例に係る測定装置９００がモニター８００の輝度を測定する積分時間は、
検査画像の周期（３フレーム）よりも長いものとする。
【０１０１】
＜検査処理＞
次に、図１１を参照して、本実施例に係るＰＣ７００で行われる検査処理について説明する。なお、実施例１に係る検査処理と同様の部分については説明を省略して、主に実施例１との相違点について説明する。
【０１０２】
図１１は、本実施例に係るＰＣ７００で行われる検査処理の一例を説明するためのフローチャートである。ただし、以下の実施例はあくまでも一例であって、本発明は以下の実施例に限定されるものではない。
【０１０３】
検査処理は、ＰＣ７００が検査画像を生成してモニター８００に表示し、測定装置９００により検査画像の積分輝度を測定することで、モニター８００の動画応答性能の補償が十分かどうかを判断できるようにする処理である。検査処理は、ＰＣ７００が電源オンの場合に、ＣＰＵ７０１が記憶部７０６に格納されているコンピュータプログラムを実行することによって制御される。検査処理は、ＰＣ７００における操作入力部７０７を介してユーザーが開始操作を行った場合に開始するものとして説明する。また、検査処理の開始前に、ユーザーが測定装置９００のセンサー部９０３をモニター８００の表示部に対向して予め設置しているものとして説明する。
【０１０４】
Ｓ３０１の基準値算出処理は、実施例１における処理Ｓ１０１と同様である。すなわち、本実施例の基準値決定部７０５は、図３に示すLreferを検査の基準値として決定する。
【０１０５】
Ｓ３０２において、ＣＰＵ７０１は、検査画像生成部７０３に対して、検査画像データを生成するよう指示する。本実施例では、実施例１における第二の画像データと同様の画像データを検査画像データとして用いる。すなわち、検査画像生成部７０３は、低階調DDLlowおよび高階調DDLhighが２：１の割合で表示される画像（図４（Ａ）〜４（Ｃ））を
検査画像データとして生成する。生成された検査画像データは、画像出力部７０２によりモニター８００に出力される。なお、ここでの検査画像データのサイズや配置は、測定装置９００により測定可能なように構成される。例えば、検査画像データは、モニター８００の一部の領域のみに表示されても良いし、モニター８００の全面に表示されても良い。
【０１０６】
Ｓ３０３において、測定装置９００によって、検査画像の測定を行う。具体的な手順は以下の通りである。ＣＰＵ７０１は、測定装置９００に測定を指示するための制御コマンドを生成し、測定制御部７０４に供給する。測定制御部７０４は、ＣＰＵ７０１より供給された制御コマンドを通信インタフェースを介して測定装置９００に送信する。測定装置９００は、この制御コマンドを受信すると、モニター８００の輝度測定を開始する。
【０１０７】
Ｓ３０４において、ＣＰＵ７０１は、測定装置９００から測定制御部７０４を介して測定値を取得したか否かを判定する。測定値を取得した場合（Ｓ３０４−ＹＥＳ）、ＣＰＵ７０１は、画像出力部７０２に対し、モニター８００への検査画像データの出力を停止するよう指示して、処理はＳ３０４からＳ３０６に進む。測定値を取得していない場合（Ｓ３０４−ＮＯ）、処理はＳ３０４からＳ３０５に進む。
【０１０８】
Ｓ３０５は、Ｓ３０２と同様の処理であるため、説明を省略する。検査画像データをフレーム毎に更新するため、Ｓ３０２からＳ３０４、Ｓ３０４からＳ３０５の処理については１フレーム期間内に行うものとする。また、Ｓ３０２、Ｓ３０５におけるモニター８００への検査画像データの出力についても、フレーム周期に基づいて実施するものとする。
【０１０９】
Ｓ３０６において、ＣＰＵ７０１は、合否判定部７０８に対し検査の基準値と測定値を
通知し、検査の合否を判定するよう指示する。合否判定部７０８は、記憶部７０６に格納された許容範囲を読み出し、検査の基準値と測定値の差が許容範囲内か否かを判定する。なお、本実施例における許容範囲として、例えば、検査の基準値±3%等の範囲を用いることができる。また、許容範囲は、ユーザーが任意の範囲を設定できるようにしても良い。なお、許容範囲は、検査の基準値に基づいて決定されれば、その具体的な範囲は任意である。例えば、許容範囲は、基準値±α（αは正の実数）の範囲とする以外にも、基準値−α１以上基準値＋α２以下（α１，α２は正の実数でα１≠α２）としても良いし、基準値＋α３以上（α３は実数）としてもよい。
【０１１０】
合否判定部７０８は、検査の基準値と測定値の差が許容範囲内であった場合には、検査の合否について「合格」と判定し、判定結果をＣＰＵ７０１に通知する。合否判定部７０８は、検査の基準値と測定値の差が許容範囲外であった場合には、検査の合否について「不合格」と判定し、判定結果をＣＰＵ７０１に通知する。
【０１１１】
Ｓ３０７において、ＣＰＵ７０１は、画像出力部７０２に対し検査の合否、検査の基準値、測定値を通知し、結果画像データを生成してモニター８００に出力するよう指示する。
【０１１２】
図１２（Ａ），１２（Ｂ）を参照して、Ｓ３０７において表示される結果画像データについて説明する。図１２は、画像出力部７０２が生成する結果画像データの一例を説明するための図である。図１２（Ａ）は、検査の合否が「合格」である場合の結果画像を示し、図１２（Ｂ）は、検査の合否が「不合格」である場合の結果画像を示す。図１２（Ａ）、１２（Ｂ）に示すように、検査の合否、許容範囲、検査の基準値、測定値をそれぞれ表示することで、ユーザーに対し、モニター８００の動画応答性能が十分か否かを通知できる。
【０１１３】
画像出力部７０２が結果画像データを生成してモニター８００に出力後、検査処理を終了する。
【０１１４】
以上説明したとおり、本実施例によれば自動的に検査の合否を判定し、判定結果をユーザーに通知することが可能となる。本実施形態では、ユーザーが自ら判断を行う必要が無く、測定装置９００を設置して検査を開始するだけでモニター８００の動画応答性能が十分であるかどうかを検査することができる。
【０１１５】
＜変形＞
本実施例においても、実施例１で説明したような種々の変形を採用することが可能である。また、本実施における、モニター８００の輝度特性は、測定装置９００を用いた測定により生成することもできる。
【０１１６】
また、本実施例は、測定装置を利用して実施例１と同様の検査を行っているが、測定装置を利用して実施例２と同様の検査を行うように構成してもよい。
【０１１７】
（その他の実施例）
本発明において、検査対象となる表示装置は特に限定されない。表示装置は、例えば、有機ＥＬディスプレイ、プラズマディスプレイ、ＭＥＭＳシャッターを用いるディスプレイ、電気泳動方式を用いる電子ペーパなどであっても良い。また、表示装置は、画像を投影する投影装置であっても良い。いずれの方式の表示装置であっても、表示素子に印加する駆動信号を一時的に高くすることによって、駆動信号の印加から所望の画像が得られるまでの応答性能を向上させる、オーバードライブ機能を適用することが想定される。また、表示装置がオーバードライブ機能などの応答性能向上機能を有する例を説明したが、応
答向上性能機能を有しない表示装置が所望の応答性能を保てているかを検査するために本発明を適用できる。
【０１１８】
上記で説明した機能は、ＣＰＵやＭＰＵなどの汎用的な情報処理プロセッサーとプログラム（ソフトウェア）を用いて実装しても良いし、ＦＰＧＡのようなプログラマブルな回路を用いて実装してもよいし、ＡＳＩＣなどの専用の論理回路で実装しても良い。また、これらを組み合わせて上記機能を実装しても構わない。
【０１１９】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２０】
１００：検査制御装置
１０２：画像出力部
１０３：第一の画像生成部
１０４：第二の画像生成部
【図１】
2017102302.tif 000003
【図２】
2017102302.tif 000004
【図３】
2017102302.tif 000005
【図４】
2017102302.tif 000006
【図５】
2017102302.tif 000007
【図６】
2017102302.tif 000008
【図７】
2017102302.tif 000009
【図８】
2017102302.tif 000010
【図９】
2017102302.tif 000011
【図１０】
2017102302.tif 000012
【図１１】
2017102302.tif 000013
【図１２】
2017102302.tif 000014